(57)【特許請求の範囲】
【請求項１】
弾性を有し、取付孔が形成され、リングファイルの表紙および前記取付孔に通される固着具で前記表紙に取り付けられる保持部材と、前記保持部材の内側に収納され、前記保持部材で内側に付勢され、曲折可能に設けられた可動片と、一端部が前記可動片に固着され、他端部が前記保持部材の外側にのびて形成され、前記可動片を曲折させることによって前記他端部が開閉する綴じ杆とを有するリング綴じ具の前記綴じ杆を開くためのリング綴じ具開放用部材であって、
取付用孔が形成され、前記取付用孔は前記表紙と前記リング綴じ具の前記保持部材との間で前記保持部材に形成された前記取付孔に対応するように配置され、前記取付用孔に前記固着具が通される固定部材、および
中間部分が変形可能な接続部材を介して前記固定部材に接続され、一端部分を押すことによって、全体が前記中間部分を支点として回動し、他端部分が前記リング綴じ具の前記可動片を押して屈曲させ前記綴じ杆の前記他端部を開く梃子部材を含み、
前記固定部材、前記接続部材および前記梃子部材は、合成樹脂で一体的に形成された、リング綴じ具開放用部材。
【請求項２】
前記固定部材は、前記取付用孔に前記固着具を通した場合に前記固着具の側面に接触して前記固着具を支持する支持部と、前記取付用孔に通された前記固着具がかしめられて径方向に膨らむ場合にその膨らむ部分を逃がすための凹み部とを有する、請求項１に記載のリング綴じ具開放用部材。
【請求項３】
前記梃子部材は、前記固定部材の周囲に配置され、
前記接続部材は、前記固定部材の前記取付用孔が形成された部分から見て、前記梃子部材の前記一端部分が配置される側とは反対側の部分に形成される、請求項１または請求項２に記載のリング綴じ具開放用部材。
【請求項４】
前記梃子部材の前記一端部分において押される部分の表面は平面形状に形成される、請求項１ないし請求項３のいずれかに記載のリング綴じ具開放用部材。
【請求項５】
前記表紙と前記リング綴じ具の前記保持部材との間に配置され、前記保持部材に引掛けられる爪部を有し、前記梃子部材に変形可能な別の接続部材を介して接続される基体を含み、
前記基体は、前記固定部材、前記接続部材、前記梃子部材および前記別の接続部材とともに合成樹脂で一体的に形成される、請求項１ないし請求項４のいずれかに記載のリング綴じ具開放用部材。
【発明の詳細な説明】
【０００１】
【発明の属する技術分野】
この発明はリング綴じ具開放用部材に関し、特にリングファイルの表紙のたとえば背表紙や裏表紙に取り付けられるリング綴じ具の綴じ杆を開くためのリング綴じ具開放用部材に関する。
【０００２】
【従来の技術】
この発明の背景となる従来のリングファイルの一例がたとえば特許第３０５３５９３号公報に開示されている。
図１２はそのような従来のリングファイルの一例を示す斜視図であり、図１３はそのリングファイルに用いられるリング綴じ具の綴じ杆を閉じた状態を示す断面図解図であり、図１４はそのリング綴じ具の綴じ杆を開いた状態を示す断面図解図である。図１２に示すリングファイル１は、リング綴じ具２を含む。リング綴じ具２は、弾性を有する金属からなる断面略Ｃ字状の保持部材３を含む。保持部材３の内側には、図１３および図１４に示すように、２枚の金属板からなる可動片４が収納される。この可動片４は、保持部材３で内側に付勢され、曲折可能に設けられる。この可動片４には、閉じることによってリング状となる綴じ杆５、５の一端部がそれぞれ固着される。これらの綴じ杆５、５の他端部は、それぞれ、保持部材３の外側にのびて形成される。また、綴じ杆５、５の他端部は、可動片４を曲折することによって、開閉するように形成される。このリング綴じ具２は、ケース６の開口部６ａに収納され、ケース６の開口部６ａの縁から内側へ突き出す４つの係止突部６ｂ、６ｂ・・でケース６に取り付けられる。ケース６には、開口部６ａの外側に２つの取付片６ｃ、６ｃが形成され、取付片６ｃ、６ｃには取付孔６ｄ、６ｄが形成される。ケース６は、リングファイル１の表紙７の背表紙７ａおよびケース６の取付孔６ｄ、６ｄに通される２つの鋲などの固着具８、８で表紙７の背表紙７ａに取り付けられる。また、ケース６には、リング綴じ具２の両端において、２つの梃子部材９、９がそれぞれ回動可能に設けられる。このリングファイル１では、梃子部材９、９の一端部分を押すことによって、梃子部材９、９が回動し、梃子部材９、９の他端部分がリング綴じ具２の可動片４を押して曲折させ、綴じ杆５、５の他端部を開くことができる。
【０００３】
【発明が解決しようとする課題】
ところが、上述の従来のリングファイル１では、リング綴じ具２が表紙７の背表紙７ａに固着具８、８で取り付けられていないので、リング綴じ具２の背表紙７ａへの取付け強度が弱い。
さらに、上述の従来のリングファイル１では、リング綴じ具２が取り付けられるケース６とリング綴じ具２の可動片４を押して曲折させ綴じ杆５、５を開く梃子部材９、９とが、別々の部材で形成されているので、それらを組み立てる作業が必要であり、組み立て作業が煩雑である。
【０００４】
それゆえに、この発明の主たる目的は、リングファイルの表紙にリング綴じ具を強固に取り付けることができ、リングファイルを組み立てやすくすることができ、しかも、リングファイルのリング綴じ具の綴じ杆を開くことができる、リング綴じ具開放用部材を提供することである。
【０００５】
【課題を解決するための手段】
この発明にかかるリング綴じ具開放用部材は、弾性を有し、取付孔が形成され、リングファイルの表紙および取付孔に通される固着具で表紙に取り付けられる保持部材と、保持部材の内側に収納され、保持部材で内側に付勢され、曲折可能に設けられた可動片と、一端部が可動片に固着され、他端部が保持部材の外側にのびて形成され、可動片を曲折させることによって他端部が開閉する綴じ杆とを有するリング綴じ具の綴じ杆を開くためのリング綴じ具開放用部材であって、取付用孔が形成され、取付用孔は表紙とリング綴じ具の保持部材との間で保持部材に形成された取付孔に対応するように配置され、取付用孔に固着具が通される固定部材と、中間部分が変形可能な接続部材を介して固定部材に接続され、一端部分を押すことによって、全体が中間部分を支点として回動し、他端部分がリング綴じ具の可動片を押して屈曲させ綴じ杆の他端部を開く梃子部材とを含み、固定部材、接続部材および梃子部材は、合成樹脂で一体的に形成された、リング綴じ具開放用部材である。
この発明にかかるリング綴じ具開放用部材では、固定部材と梃子部材とが接続部材を介して合成樹脂で一体的に形成されているため、リングファイルを組み立てる際にそれらを組み立てる作業が不要であり、リングファイルを組み立てやすくすることができる。
また、この発明にかかるリング綴じ具開放用部材では、固定部材が表紙とリング綴じ具の保持部材との間に配置され、それらが固着具で取り付けられるため、リングファイルの表紙にリング綴じ具を強固に取り付けることができる。
さらに、この発明にかかるリング綴じ具開放用部材では、梃子部材の一端部分を押すことによって、梃子部材の全体が梃子部材の中間部分を支点として回動し、梃子部材の他端部分がリング綴じ具の可動片を押して曲折させ、綴じ杆の他端部を開くことができる。
【０００６】
この発明にかかるリング綴じ具開放用部材では、固定部材は、取付用孔に固着具を通した場合に固着具の側面に接触して固着具を支持する支持部と、取付用孔に通された固着具がかしめられて径方向に膨らむ場合にその膨らむ部分を逃がすための凹み部とを有してもよい。
このように固定部材が支持部と凹み部とを有すれば、取付用孔に通した固着具を支持部で支持することができるとともに、固着具がかしめられて径方向に膨らむ場合に、その膨らむ部分が凹み部で吸収され、その膨らむ部分で固定部材が破損されることを防止することができる。
【０００７】
また、この発明にかかるリング綴じ具開放用部材では、梃子部材は、固定部材の周囲に配置され、接続部材は、固定部材の取付用孔が形成された部分から見て、梃子部材の一端部分が配置される側とは反対側の部分に形成されてもよい。
このように接続部材を形成すれば、固定部材の取付用孔が形成された部分から見て梃子部材の一端部分が配置される側と同じ側の部分に接続部材を形成する場合と比べて、梃子部材の一端部分から接続部材すなわち支点までの距離が長くなるので、梃子部材の一端部分を弱い力で押してリング綴じ具の綴じ杆を開くことができる。
【０００８】
さらに、この発明にかかるリング綴じ具開放用部材では、梃子部材の一端部分において押される部分の表面は平面形状に形成されてもよい。
このように梃子部材の一端部分の押される部分の表面を平面形状に形成すれば、その表面を曲面形状に形成する場合と比べて、梃子部材の一端部分を押す場合に滑りにくくなり押しやすくなる。
【０００９】
また、この発明にかかるリング綴じ具開放用部材では、表紙とリング綴じ具の保持部材との間に配置され、保持部材に引掛けられる爪部を有し、梃子部材に変形可能な別の接続部材を介して接続される基体を含み、基体は、固定部材、接続部材、梃子部材および別の接続部材とともに合成樹脂で一体的に形成されてもよい。
このようにリング綴じ具開放用部材が爪部を有する基体を含めば、爪部をリング綴じ具の保持部材に引掛けて基体をリング綴じ具の保持部材に取り付けることができるので、リング綴じ具に対するリング綴じ具開放用部材の位置決めや取り付けが容易となる。
【００１０】
この発明の上述の目的、その他の目的、特徴および利点は、図面を参照して行う以下の発明の実施の形態の詳細な説明から一層明らかとなろう。
【００１１】
【発明の実施の形態】
図１はこの発明が適用されるリングファイルの一例の要部を示す斜視図であり、図２はそのリングファイルの要部を示す分解斜視図であり、図３はそのリングファイルの要部を示す断面図解図である。図１〜図３に示すリングファイル１０には、リング綴じ具１２が用いられる。
【００１２】
リング綴じ具１２は、弾性を有する金属からなる保持部材１４を含む。保持部材１４は、円弧状の曲面を有するカバー部１４ａを含む。カバー部１４ａの長手方向における中間部の両側には、図３に示すように、そこから下方にのびて折返部１４ｂ、１４ｂが一体的に形成される。この場合、カバー部１４ａおよび折返部１４ｂ、１４ｂは、断面略Ｃ字状に形成される。カバー部１４ａおよび折返部１４ｂ、１４ｂは、後述の可動片１８を幅方向における両側から内側へ常時付勢しつつ保持するためのものである。また、図１および図２に示すように、カバー部１４ａの長手方向における両端部はそれぞれへこまされ、その両端部に円形の取付孔１６、１６が形成される。
【００１３】
保持部材１４の内部には、図３に示すように、断面略Ｖ字状の可動片１８が収納されている。この可動片１８は、保持部材１４の中間部と略同じ長さのたとえば２枚の金属板１８ａ、１８ａを幅方向に並列に配置して突き合わせ、その突き合わせ部で曲折するように形成されたものであり、従来のリング綴じ具に用いられているものと同様のものである。この可動片１８は、後述する綴じ杆２０を固着して、一体に開閉動作させるためのものであり、曲折して図３に示す断面略Ｖ字状か図１１に示す断面略逆Ｖ字状かのいずれかの状態で安定的に保持される。
【００１４】
可動片１８の長さ方向の両端近傍には、それぞれ略円環状の金属製の綴じ杆２０が固着される。綴じ杆２０は、用紙にあらかじめ穿設された綴じ孔に挿通して用紙を綴じ合わせるためのものであり、従来用いられているものと同様のものである。綴じ杆２０は、それぞれ略半円形状の一対の鉤爪２０ａ、２０ａを含む。一対の鉤爪２０ａ、２０ａは、それぞれ一端部が可動片１８に固着され、他端部が保持部材１４を厚み方向に貫通して外側へのびて、綴じ杆２０の中央部で両者が噛み合うように形成されている。可動片１８が略Ｖ字状態にあるときに、一対の鉤爪２０ａ、２０ａのそれぞれの他端部が噛み合って綴じ杆２０が閉じ、可動片１８が略逆Ｖ字状態にあるときに、一対の鉤爪２０ａ、２０ａのそれぞれの他端部が離間して綴杆２０は開く。
【００１５】
このリングファイル１０は、リング綴じ具１２の綴じ杆２０を開くためのリング綴じ具開放用部材３０を含む。
【００１６】
リング綴じ具開放用部材３０は、図２および図４〜図６に示すように、リング綴じ具１２の２つの綴じ杆２０、２０の間隔とほぼ同じ長さの短冊状の基体３２を含む。基体３２の幅方向における中央には、図２および図４に示すように、長孔３４が形成される。この長孔３４は、基体３２にその幅方向にばね性を付与して、後述の爪部３６、３６をリング綴じ具１２の保持部材１４の折返部１４ｂ、１４ｂに引掛けやすくするとともに折返部１４ｂ、１４ｂから外れにくくするためのものである。基体３２の長手方向における中央部の両側には、爪部３６、３６が形成される。爪部３６は、基体３２の上面より上方にのびて形成され、リング綴じ具１２の下にリング綴じ具開放用部材３０を取り付ける際にリング綴じ具１２の保持部材１４の折返部１４ｂに引掛けられるものである。また、基体３２の上面には、長孔３２の両側に４つの突部３８、３８・・が形成される。これらの突部３８、３８・・は、リング綴じ具１２の下にリング綴じ具開放用部材３０を取り付ける際にリング綴じ具１２の保持部材１４の折返部１４ｂに当るものである。そのため、爪部３６および突部３８によって、リング綴じ具１２に対してリング綴じ具開放用部材３０を位置決めすることができる。さらに、基体３２の上面には、長手方向における両端に４つの凹部４０、４０・・が形成される。上述のリング綴じ具１２において鉤爪２０ａ、２０ａの一端部は可動片１８からそれぞれ突き出た状態で固着されるが、これらの凹部４０、４０・・は、それらの突き出た部分が基体３２に当らないようにするためのものである。
【００１７】
基体３２の長手方向における両側には、図２および図４に示すように、２つの梃子部材５０がそれぞれ配置される。梃子部材５０は、図７に示すように、平面形状が略半楕円形状である一端部分５２および平面形状が略凸形状である他端部分５４を含む。一端部分５２および他端部分５４は、図５および図６に示すように、それらの底面がたとえば１７度の角度をもって一体的に形成される。この梃子部材５０では、一端部分５２の底面と他端部分５４の底面との間の直線状の中間部分５６が支点として用いられる。そのため、この梃子部材５０では、一端部分５２を押すことによって、全体が中間部分５６を支点として回動する。また、梃子部材５０の一端部分５２において押される部分５２ａの表面は、滑りにくく押しやすくするために、図１および図２に示すように、平面形状に形成される。さらに、梃子部材５０の一端部分５２および他端部分５４には、図７に示すように、中間部分５６の中央部を含む一端部分５２側の部分に、後述の固定部材６０を配置するための円形の孔５８が形成される。
【００１８】
梃子部材５０の孔５８の中には、リング状の固定部材６０が配置される。そのため、固定部材６０の周囲に梃子部材５０が配置される。固定部材６０の中央には、歯車形状の取付用孔６２が形成される。すなわち、この固定部材６０では、取付用孔６２が、多数の突出する支持部６４および多数の凹み部６６で規定される。支持部６４は、取付用孔６２に後述の固着具９０を通した場合に固着具９０の側面に接触して固着具９０を支持するためのものである。また、凹み部６６は、取付用孔６２に通された固着具９０がかしめられて径方向に膨らむ場合にその膨らむ部分を逃がすためのものである。
【００１９】
固定部材６０の下部には、図８に示すように、梃子部材５０の中間部分５６の下部が、ねじることができる変形可能な接続部材７０を介して接続される。この場合、接続部材７０は、図７に示すように、固定部材６０の取付用孔６２が形成された部分から見て、梃子部材５０の一端部分５２が配置される側とは反対側の部分に、梃子部材５０および固定部材６０の材料と同じ材料の合成樹脂で、幅がたとえば１ｍｍで厚さがたとえば０．５ｍｍと細く形成される。そのため、固定部材６０に対して梃子部材５０を中間部分５６を支点として回動することができる。この場合、接続部材７０はねじれる。
【００２０】
また、梃子部材５０の他端部分５４の端部の中央部および両側部は、図２、図４および図７に示すように、曲げることができる変形可能な３つの別の接続部材７２ａおよび７２ｂ、７２ｂを介して、基体３２の長手方向における端部の中央部および両側部に接続される。この場合、別の接続部材７２ａおよび７２ｂ、７２ｂは、図５および図６に示すように、基体３２の上部から梃子部材５０の下部にわたって、それらの材料と同じ合成樹脂で、接続部材７２ａの幅がたとえば１．５ｍｍで、接続部材７２ｂの幅がたとえば１ｍｍで、それぞれの厚さがたとえば０．５ｍｍと細く形成される。そのため、基体３２に対して梃子部材５０を回動することができる。この場合、接続部材７２ａおよび７２ｂ、７２ｂは曲がる。
【００２１】
上述のリング綴じ具開放用部材３０の基体３２、梃子部材５０、固定部材６０、接続部材７０、別の接続部材７２ａおよび７２ｂは、たとえばＡＢＳ樹脂などの合成樹脂で一体的に形成される。
【００２２】
このリング綴じ具開放用部材３０は、上述のリング綴じ具１２に取り付けられる。この場合、リング綴じ具開放用部材３０の突部３８および取付用孔６２がリング綴じ具１２の折返部１４ｂおよび取付孔１６に対応した状態で、リング綴じ具開放用部材３０の爪部３６がリング綴じ具１２の折返部１４ｂに引掛けられる。
【００２３】
そして、リング綴じ具１２およびリング綴じ具開放用部材３０は、表紙８０の背表紙８２に、２つの鋲などの固着具９０、９０で取り付けられる。この場合、固着具９０は、図９に示すように、表紙８０の背表紙８２と、リング綴じ具開放用部材３０の取付用孔６２と、リング綴じ具１２の取付孔１６とに通されてからかしめられる。
【００２４】
上述のリングファイル１０では、リング綴じ具開放用部材３０の基体３２、梃子部材５０および固定部材６０が接続部材７０、７２ａ、７２ｂを介して合成樹脂で一体的に形成されているため、リングファイル１０を組み立てる際にそれらを組み立てる作業が不要であり、リングファイル１０を組み立てやすい。
【００２５】
また、上述のリングファイル１０では、リング綴じ具開放用部材３０の固定部材６０が表紙８０の背表紙８２とリング綴じ具１２の保持部材１４との間に配置され、それらが固着具９０で取り付けられるため、表紙８０の背表紙８２にリング綴じ具１２が強固に取り付けられる。
【００２６】
さらに、上述のリングファイル１０では、図１０の２点鎖線で示すように、梃子部材５０の一端部分５２を押すことによって、梃子部材５０の全体が梃子部材５０の中間部分５６を支点として回動し、図１１に示すように、梃子部材５０の他端部分５４がリング綴じ具１２の可動片１８を押して曲折させ、綴じ杆２０の他端部を開くことができる。
【００２７】
また、上述のリングファイル１０では、リング綴じ具開放用部材３０の固定部材６０が支持部６４および凹み部６６を有するので、取付用孔６２に通した固着具９０を支持部６４で支持することができるとともに、固着具９０がかしめられて径方向に膨らむ場合に、その膨らむ部分が凹み部６６で吸収され、その膨らむ部分で固定部材６０が破損されることを防止することができる。
【００２８】
さらに、上述のリングファイル１０では、固定部材６０の取付用孔６２が形成された部分から見て梃子部材５０の一端部分５２が配置される側と同じ側の部分に接続部材７０を形成する場合と比べて、梃子部材５０の一端部分５２から接続部材７０すなわち支点までの距離が長いので、梃子部材５０の一端部分５２を弱い力で押してリング綴じ具１２の綴じ杆２０を開くことができる。
【００２９】
また、上述のリングファイル１０では、リング綴じ具開放用部材３０の梃子部材５０の一端部分５２の押される部分５２ａの表面が平面形状に形成されているので、その表面を曲面形状に形成する場合と比べて、梃子部材５０の一端部分５２を押す場合に滑りにくく押しやすい。そのため、このリングファイル１０では、綴じられた用紙の上から梃子部材５０の一端部分５２を押してリング綴じ具１２の綴じ杆２０を開けやすい。
【００３０】
さらに、上述のリングファイル１０では、リング綴じ具開放用部材３０の爪部３６をリング綴じ具１２の保持部材１４に引掛けてリング綴じ具開放用部材３０の基体３２をリング綴じ具１２の保持部材１４に取り付けることができるので、リング綴じ具１２に対するリング綴じ具開放用部材３０の位置決めや取り付けが容易である。
【００３１】
なお、上述のリングファイル１０では、リング綴じ具１２の綴じ杆２０を開く際にリング綴じ具開放用部材３０の接続部材７２ａおよび７２ｂが変形されるが、接続部材７２ａおよび７２ｂは、リング綴じ具１２およびリング綴じ具開放用部材３０を背表紙８２に取り付けた後に切断されてもよい。また、接続部材７２ａおよび７２ｂや基体３２は、形成されなくてもよい。
【００３２】
また、上述のリングファイル１０では、リング綴じ具開放用部材３０の梃子部材５０、固定部材６０および接続部材７０などが他の形状に形成されてもよい。
【００３３】
さらに、リング綴じ具１２としては、３つ以上の綴じ杆２０を有するものが用いられもよい。また、綴じ杆２０は、略円環状以外にＤ形環状や楕円形環状など他のリング状のものが用いられもよい。なお、Ｄ形環状の綴じ杆が用いられる場合には、リング綴じ具およびリング綴じ具開放用部材は、リングファイルの表紙の裏表紙において背表紙に近い内側に取り付けられる。
【００３４】
また、固着具として、鋲以外に、たとえば、ビス、ボルトナット、リベットなどが用いられもよい。
【００３５】
【発明の効果】
この発明によれば、リングファイルの表紙にリング綴じ具を強固に取り付けることができ、リングファイルを組み立てやすくすることができ、しかも、リングファイルのリング綴じ具の綴じ杆を開くことができる、リング綴じ具開放用部材が得られる。
【図面の簡単な説明】
【図１】この発明が適用されるリングファイルの一例の要部を示す斜視図である。
【図２】図１に示すリングファイルの要部を示す分解斜視図である。
【図３】図１に示すリングファイルの要部を示す断面図解図である。
【図４】図１に示すリングファイルに用いられるリング綴じ具開放用部材を示す正面図である。
【図５】図４に示すリング綴じ具開放用部材の左側面図である。
【図６】図４の線ＶＩ−ＶＩにおける断面図解図である。
【図７】図４に示すリング綴じ具開放用部材の要部を示す拡大正面図である。
【図８】図７の線ＶＩＩＩ−ＶＩＩＩにおける断面図解図である。
【図９】図１に示すリングファイルのリング綴じ具などの取り付け構造を示す断面図解図である。
【図１０】図１に示すリングファイルにおいて梃子部材の一端部分を押す状態を示す図解図である。
【図１１】図１に示すリングファイルにおいて綴じ杆を開いた状態を示す断面図解図である。
【図１２】従来のリングファイルの一例を示す斜視図である。
【図１３】図１２に示すリングファイルに用いられるリング綴じ具の綴じ杆を閉じた状態を示す断面図解図である。
【図１４】図１２に示すリングファイルに用いられるリング綴じ具の綴じ杆を開いた状態を示す断面図解図である。
【符号の説明】
１０  リングファイル
１２  リング綴じ具
１４  保持部材
１６  取付孔
１８  可動片
２０  綴じ杆
３０  リング綴じ具開放用部材
３２  基体
３６  爪部
３８  突部
４０  凹部
５０  梃子部材
５２  一端部分
５２ａ  押される部分
５４  他端部分
５６  中間部分
６０  固定部材
６２  取付用孔
６４  支持部
６６  凹み部
７０  接続部材
７２ａ、７２ｂ  別の接続部材
８０  表紙
８２  背表紙
９０  固着具
【図１】
0003561710.tif 000002
【図２】
0003561710.tif 000003
【図３】
0003561710.tif 000004
【図４】
0003561710.tif 000005
【図５】
0003561710.tif 000006
【図６】
0003561710.tif 000007
【図７】
0003561710.tif 000008
【図８】
0003561710.tif 000009
【図９】
0003561710.tif 000010
【図１０】
0003561710.tif 000011
【図１１】
0003561710.tif 000012
【図１２】
0003561710.tif 000013
【図１３】
0003561710.tif 000014
【図１４】
0003561710.tif 000015